(57)【要約】      （修正有）【課題】卓球競技等のゲームカウントにおいて、リセット状態の「０」表示のためにカードを反転させる手間を省く競技用カウント表示具を提供する。【解決手段】表示面３１の背面側に、該表示面側に反転可能に重ねて吊り下げた複数のカード束４、４ａのカードを、競技の進行に伴って当該カード束のカードを必要枚数だけ反転させて表示面上に順次積み重ねて使用し、カード束４、４ａ毎に表示面３１側とその背面側に同じカウント数字を表示できる、競技用カウント表示具において、表示面３１の背面側にカード束４、４ａをリセットした状態で、リセット状態のカード束４、４ａの最外端のカードの表側の数字は「０」であり、表示面３１には、カードの反転位置に対応して「０」、「０」の数字が印されている。【選択図】図５
0003157785.tif 000002
【実用新案登録請求の範囲】
【請求項１】
表示面の背面側に、該表示面側に反転可能に重ねて吊り下げた複数のカード束のカードを、競技の進行に伴って当該カード束のカードを必要枚数だけ反転させて表示面上に順次積み重ねて使用し、カード束毎に表示面側とその背面側に同じカウント数字を表示できる、競技用カウント表示具において、
表示面の背面側にカード束をリセットした状態で、リセット状態のカード束の最外端のカードの表側の数字は「０」であり、表示面には、カードの反転位置に対応して「０」、「０」の数字が印されていることを特徴とする  、競技用カウント表示具。
【請求項２】
台板、脚板、リセット板及びカード束の夫々の一辺を蝶着して構成され、台板とリセット板との間にカード束が位置し、リセット板を脚板に重ねた状態でリセット板の外側の面が表示面となる、請求項１に記載の競技用カウント表示具。
【請求項３】
少なくとも、２束の大判カード束と、２束の小判カード束を有している、請求項１又は２に記載の競技用カウント表示具。
【請求項４】
台板と脚板の自由端どうしが、両者の開きを規制し、且つ、両者が重なり可能に連結する連結手段で連結され、台板と脚板を規制一杯に開いた状態で、両者の間に人の腕が挿入可能な空間が生じる、請求項１乃至３の何れかに記載の競技用カウント表示具。
【請求項５】
リセット状態のカード束、の最外端のカードの裏面には「１」の数字が示され、二番目以下のカードの裏面には、「２」、「３」、「４」と、２から順に１づつ加算した数字が印され、二番目以下のカードの表面には、「１」、「２」、「３」と、１から順に１づつ加算した数字印されている、請求項１乃至４の何れかに記載の競技用カウント表示具。
【請求項６】
リセット状態のカード束の最外端のカードの外面には「０」、内面には「１５」の数字が示され、二番目以下のカードの外面には「１５」、「３０」、「４０、」、二番目以下のカードの内面には「３０」、「４０」、とテニス競技のカウントに従って順に数字が印され、二番目以下のカードの表面には、「３０」、「４０」とテニス競技のカウントに従って順に数字が印されている、請求項１乃至４の何れかに記載の競技用カウント表示具。
【考案の詳細な説明】
【技術分野】
【０００１】
本考案は、スポーツ競技等に用いられ、ポイントを表示する手動式のカウント表示具に関するものである。
【背景技術】
【０００２】
卓球競技に使用される卓上のカウント表示具は、競技者側に向いた表示面の背面側に、ゲームポイント印した２束のカードの束、及びセットポイントを印した２束のカード束を吊り下げておき、カードを１枚づつ表示面側に反転させてカウントを表示する。
リセット状態の各カード束の最外端のカードの内面には「０」の数字が示され、２番目以降の各カードの内面には、「１」、「２」、「３」…と、順に１づつ加算した数字が印されている。
二番目以下のカードの外面には、「０」、「１」、「２」、「３」…と、０から順に１づつ加算した数字が印されている。
【０００３】
競技の開始に先だって、各カード束の最外端のカードを、カウント表示具の競技者側に向いた表示面上に反転させ、表示面上に「０」を表示させる。
競技側と、その反対側にも、二番目のカードの外面の「０」が表示されることになる。
【０００４】
ポイントを取る毎に、ポイントを取った側のポイントカード束からカードを１毎づつ反転させて重ねると、その時点での取得ポイントを、競技者側とその反対側の両方に表示できる。
【考案の概要】
【考案が解決しようとする課題】
【０００５】
上記カウント表示具の場合、競技開始の前に、各カード束の最外端のカードを表示面側へ反転させて、表示面上に「０」を表示させねばならない。
卓球や、テニスの場合、ゲームポイント、セットポイントの区別が必要であるから、少なくとも４つのカード束が必要となる。即ち、試合開始前に、４枚のカードを反転させて夫々「０」を表示させねばならず、手間が掛かる。
本考案は、上記「０」の表示を簡単にできる、カウント示具を明らかにするものである。
【課題を解決するための手段】
【０００６】
請求項１は、表示面(31)の背面側に、該表示面側に反転可能に重ねて吊り下げた複数のカード束(４)(4a)のカード(41)(41a)を、競技の進行に伴って当該カード束のカードを必要枚数だけ反転させて表示面上に順次積み重ねて使用し、カード束(４)(4a)毎に表示面(31)側とその背面側に同じカウント数字を表示できる、競技用カウント表示具において、
表示面(31)の背面側にカード束(４)(4a)をリセットした状態で、リセット状態のカード束(４)(4a)の最外端のカードの表側の数字は「０」、「０」であり、表示面(31)には、カードの反転位置に対応して「０」、「０」の数字が印されていることを特徴とする。
【０００７】
請求項２は、請求項１の競技用カウント表示具において、台板(１)、脚板(２)、リセット板(３)及びカード束(４)(4a)の夫々の一辺を蝶着して構成され、台板(１)とリセット板(３)との間にカード束(４)(4a)が位置し、リセット板(３)を脚板(２)に重ねた状態でリセット板(３)の外側の面が表示面(31)となる。
【０００８】
請求項３は、請求項１又は２に記載の競技用カウント表示具において、少なくとも２束の大判カード束(４)(4a)と、少なくとも２束の小判カード束(５)(5a)を有している。
【０００９】
請求項４は、請求項１乃至３の何れかに記載の競技用カウント表示具において、台板(１)と脚板(２)の自由端どうしが、両者の開きを規制し、且つ、両者が重なり可能に連結する連結手段(７)で連結され、台板(１)と脚板(２)を規制一杯に開いた状態で、両者の間に人の腕が挿入可能な空間が生じる。
【００１０】
請求項５は、請求項１乃至４の何れかに記載の競技用カウント表示具において、リセット状態のカード束(４)(4a)、(５)(5a)の最外端のカードの裏面には「１」の数字が示され、二番目以下のカードの裏面には、「２」、「３」、「４」と、２から順に１づつ加算した数字が印され、二番目以下のカードの表面には、「１」、「２」、「３」と、１から順に１づつ加算した数字印されている。
【００１１】
請求項６は、請求項１乃至４の何れかに記載の競技用カウント表示具において、リセット状態のカード束の最外端のカードの外面には「０」、内面には「１５」の数字が示され、二番目以下のカードの外面には「１５」、「３０」、「４０、」、二番目以下のカードの内面には「３０」、「４０」、とテニス競技のカウントに従って順に数字が印され、二番目以下のカードの表面には、「３０」、「４０」とテニス競技のカウントに従って順に数字が印されている。
【考案の効果】
【００１２】
請求項１のカウント表示具は、表示面(31)に最初から「０」、「０」が印されているから、競技開始に先立って、カード束(４)(4a)の夫々の最初のカードを反転させて、「０」、「０」を表示させる手間を省くことができる。
又、必要なカード枚数を、カード束毎に１枚減らすことができる。
【００１３】
「０」、「０」の位置は、カード束(４)(4a)の各カードを反転させた位置に対応してるから、最初のカードを反転させると、該カードによってカウント表示具の表示面(31)の「０」、「０」の数字が隠され、表示面(31)には該カードの裏面に印された数字が、背面側には、２枚目のカードの表側の数字、即ち、表示面の数字と同じ数字が表される。
以下、カードを何枚反転させても、表示面(31)側とその背面側では、カード束毎に同じ数字が表示される。
【００１４】
請求項２のカウント表示具は、カウント表示具を携帯する際は、リセット板(３)を台板(１)側に反転させて、両板(１)(３)によってカード束(４)(4a)を挟む様にすれば、カード束を保護できる。
競技の開始前に、リセット板(３)を反転させて脚板(２)に重ねると、リセット板(３)の裏面、即ち、表示面(31)が外側に位置して、「０」、「０」の数字が表示される。
カード束の束数に関係なく、１枚のリセット板(３)を反転させるだけで、表示面(31)の全てのカード束との対応位置に「０」を表示でき、便利である。
【００１５】
カードをリセットする場合、即ち、競技の進行に伴って反転させたカードの全てを元位置に戻す場合、リセット板を台板(１)側に反転させれば、全てのカード束を一挙にリセットできる。リセット板(３)を反転させずとも、リセット板(３)を倒立状態を少し越えるまで戻すと、カードを自重をリセット位置に復帰させることができ、競技を次のステップに進める際は、この方が「０」、「０」表示に早く戻すことができる。
【００１６】
請求項３のカウント表示具は、ゲームポイントと、セットポイント等、２種類のカウント表示が必要な場合、一方を２組の大判カード束(４)(4a)と、他方を２組の小判カード束(５)(5a)を用いて、区別してカウント表示ができる。
【００１７】
請求項４のカウント表示具は、大判カード束(４)(4a)、台板(１)及び脚板(２)を重ねことができるので、嵩張らず携帯に便利である。
又、台板(１)と脚板(２)との間を開いて、腕を通して支持すれば、カウント表示具を載せる台がなくても、カウント表示具を使用できる。
【００１８】
請求項５のカウント表示具は、卓球等、ポイントを取る毎に、１づつ加算される競技に使用できる。
【００１９】
請求項６のカウント表示具は、テニスに使用できる。
【図面の簡単な説明】
【００２０】
【図１】図１はカウント表示具の斜視図である。
【図２】図１の状態からリセット板を反転させた状態の斜視図である。
【図３】図２の状態を反対サイドから見た斜視図である。
【図４】図１の状態カウント表示具の側面図である。
【図５】競技途中のカウント表示具の展開図である。
【図６】競技途中のカウント表示具の側面図である。
【図７】カードをリセットする方法の説明図である。
【図８】カウント表示具を人が支持する場合の説明図である。
【考案を実施するための形態】
【００２１】
図１に示す競技用カウント表示具(以下、単に「カウント表示具」)は卓球用である。
カウント表示具は、台板(１)、脚板(２)及び該台板(１)の外側に重なったリセット板(３)の３枚の横長同形の板の上辺どうしを蝶着手段(６)によって蝶着されている。
図２、４に示す如く、台板(１)とリセット板(３)間に、カード束(４)(4a)、(５)(5a)が、夫々の上端を前記蝶着手段(６)によって吊さげ支持されている。
リセット板(３)、及び各カード束(４)(4a)、(５)(5a)のカードは、脚板(２)に側に反転可能である。
【００２２】
上記３枚の板(１)(２)(３)は、横長さ約２４cm、縦長さ約１４cmである。それら各板(１)(２)(３)の材質は問わないが、合成樹脂の薄板、厚紙、金属薄板等で実施できる。
【００２３】
図１は、カウント表示具を机上に置いた状態、図２は図１の状態から、リセット板(３)を反転させて脚板(２)に重ねた状態、図３は、図２の状態のカウント表示具を反対サイドから見た状態を示している。
【００２４】
図１の状態のリセット板(３)の内面が、カウントを表示する表示面(31)(図３参照)となり、該表示面(31)の左右両側位置に、表示面(31)の上端から下側に向けて縦長長方形の大区画領域(34)(34a)を設け、該大区画領域(34)(34a)内に、該領域からはみ出さない様に、数字「０」(32)(32a)を大きく印している。
各大区画領域(34)(34a)の内側位置に表示面(31)の上端から下側に向けて縦長長方形の小区画領域(35)(35a)を設け、該小区画領域(35)(35a)からはみ出さない様に数字「０」(33)(33a)を大きく印している。
大区画領域(34)(34a)の数字「０」の方が、小区画領域(35)(35a)の数字「０」よりも大きいのは勿論である。
上記各数字「０」は、印刷、シール貼り等でリセット板(３)から簡単に取れない様に印されている。
【００２５】
前記台板(１)には、ゲームポイント用の２束の大判カード束(４)(4a)と、セットポイント用の２束の小判カード束(５)(5a)が重なっている。
各大判カード束(４)(4a)は、前記リセット板(３)の大区画領域(34)(34a)に対応する大きさの２０枚のカード(41)(41a)からなり、各小判カード束(５)(5a)は小区画領域(35)(35a)に対応する大きさの５枚のカード(51)(51a)からなる。
大判カード束(４)(4a)は、台板(１)の左右両側の前記リセット板(３)の大区画領域(34)(34a)との対応位置に、小判カード束(５)(5a)は小区画領域(35)(35a)との対応位置に配備される。
【００２６】
図２に示す如く、リセット板(３)が脚板(２)に重なり、カード束(４)(4a)(５)(5a)の全てのカードが台板(１)上に重なっている状態、即ち、リセット状態であるとき、各カード束(４)(4a)(５)(5a)の最外端のカードの外面の数字は「０」である。
各カード束(４)(4a)(５)(5a)の二番目以下のカードの外面には、「１」、「２」、「３」……と、順に１づつ加算した数字が印されている。
大判カード束(４)(4a)の最内端のカードの外面の数字は「１９」であり、小判カード束(５)(5a)の最内端のカードの外面の数字は「４」である。
最外端のカードの内面には数字「１」が印され、二番目以下のカードの内面には、「２」、「３」、「４」……と、順に１づつ加算した数字が印されている。
大判カード束(４)(4a)の最内端のカードの内面の数字は「２０」であり、小判カード束(５)(5a)の最内端のカードの内面の数字は「５」である。
従って、どのカード束においても、カードを何枚反転させようが、カード束枚に、リセット板(３)上の最外端のカードの数字と台板(１)側の最外端のカードの数字は一致する。
【００２７】
台板(１)、脚板(２)、リセット板(３)の３枚の板、及び各カード束(４)(4a)(５)(5a)を蝶着する蝶着手段(６)は、各板(１)(２)(３)、及び各カード束(４)(4a)(５)(5a)の夫々の上辺部を等間隔に貫通した複数個のリングからなるリング列(61)である。
リング列(61)には、棒状の持ち手(８)の両端が挿入され、持ち手(８)の中央部は持ち易い様に外側に膨らんでいる。
【００２８】
図４に示す如く、台板(１)と脚板(２)の自由端の中央部どうしが、連結手段(７)によって、脚板(２)と台板(１)の開き角度を規制可能、且つ、台板(１)と脚板(２)を重ね合わせることが可能に連結されている。
実施例の連結手段(７)は、紐(71)の両端を台板(１)と脚板(２)に貫通させて、端部に団子結び(固め結び)を施して抜止めとなしている。
【００２９】
然して、図１の状態の競技用カウント表示具を、脚板(２)を競技者側に向けて、机上に載せる。
競技の開始前に、図２に示す如く、リセット板(３)を反転して脚板(２)に重ね、図３に示す如く、リセット板(３)の表示面(31)に印された４つの「０」を競技者側に表示する。図２は、そのときの台板(１)上の大判カード束(４)(4a)と小判カード束(５)(5a)の状態を示し、何れのカード束(４)(4a)(５)(5a)も、最外端のカードは「０」表示である。即ち、競技者側と同じである。
【００３０】
一方の競技者が１１ポイントを取る毎に、セットポイント用のカード束(小判カード束(５)又は(5a)のカード)を１毎づつ反転させ、リセット板(３)上のゲームポイント用のカード束(大判カード束(４)又は(4a))の全てのカードを反転させて、台板(１)上に戻す。
ゲームポイント用のカード枚数(得点数字)が多いのは、「デュース」を予定しているからである。
【００３１】
競技の進行に伴って、リセット板(３)上に反転させたカードの全てを元位置に戻す場合、リセット板(３)を図１に示す元位置に戻せば、全てのカード束を一挙にリセットできる。
リセット板(３)を元位置に戻さずとも、図７に示す如く、リセット板(３)を倒立状態を少し越えるまで戻すと、カードは自重でリセット位置に復帰させることができ、競技を次のステップに進める際は、この方が「０」、「０」表示に早く戻すことができる。
【００３２】
本考案の競技用カウント表示具は、卓球に限らず、各種競技に使用できる。
バスケットの様に、１ゴールでも、１点、２点、３点の区別のある場合でも、カードを必要枚数反転させることによって、対応できる。
【００３３】
テニスの場合は、ゲームポイントの呼び方が、「０(ラブ)」、「１５」、「３０」、「４０」と特別であるから、以下の様に、カードに数字を印す。
リセット状態の大判カード束(４)(4a)をゲームポイントとすれば、該カード束(４)(4a)のの最外端のカードの外面には「０」、内面には「１５」の数字を印す。二番目以下のカードの外面には「１５」、「３０」、「４０、」、二番目以下のカードの内面には「３０」、「４０」と印す。二番目以下のカードの表面には、「３０」、「４０」と印す。
この様に、競技よって異なるカウントに従って順に数字を印せば、種々の競技で実施可能である。
【００３４】
競技用カウント表示具を載せる台がない場合は、台板(１)と脚板(２)との間に腕を通して、競技用カウント表示具を支持することができる。
【００３５】
尚、図６、図８において、持ち手(８)は省略されている。
【符号の説明】
【００３６】
１  台板
２  脚板
３  リセット板
31  表示面
４  大判カード束
41  カード
５  小判カード束
51  カード
0003157785.tif 000003
【手続補正書】
【提出日】平成21年12月15日(2009.12.15)
【手続補正１】
【補正対象書類名】実用新案登録請求の範囲
【補正対象項目名】全文
【補正方法】変更
【補正の内容】
【実用新案登録請求の範囲】
【請求項１】
表示面の背面側に、該表示面側に反転可能に重ねて吊り下げた複数のカード束のカードを、競技の進行に伴って当該カード束のカードを必要枚数だけ反転させて表示面上に順次積み重ねて使用し、カード束毎に表示面側とその背面側に同じカウント数字を表示できる、競技用カウント表示具において、
表示面の背面側にカード束をリセットした状態で、リセット状態のカード束の最外端のカードの表側の数字は「０」であり、表示面には、カードの反転位置に対応して「０」、「０」の数字が印されていることを特徴とする、競技用カウント表示具。
【請求項２】
台板、脚板、リセット板及びカード束の夫々の一辺を蝶着して構成され、台板とリセット板との間にカード束が位置し、リセット板を脚板に重ねた状態でリセット板の外側の面が表示面となる、請求項１に記載の競技用カウント表示具。
【請求項３】
少なくとも、２束の大判カード束と、２束の小判カード束を有している、請求項１又は２に記載の競技用カウント表示具。
【請求項４】
台板と脚板の自由端どうしが、両者の開きを規制し、且つ、両者が重なり可能に連結する連結手段で連結され、台板と脚板を規制一杯に開いた状態で、両者の間に人の腕が挿入可能な空間が生じる、請求項１乃至３の何れかに記載の競技用カウント表示具。
【請求項５】
リセット状態のカード束の最外端のカードの裏面には「１」の数字が示され、二番目以下のカードの裏面には、「２」、「３」、「４」と、２から順に１づつ加算した数字が印され、二番目以下のカードの表面には、「１」、「２」、「３」と、１から順に１づつ加算した数字が印されている、請求項１乃至４の何れかに記載の競技用カウント表示具。
【請求項６】
リセット状態のカード束の最外端のカードの外面には「０」、内面には「１５」の数字が示され、二番目以下のカードの外面には「１５」、「３０」、「４０、」、二番目以下のカードの内面には「３０」、「４０」、とテニス競技のカウントに従って順に数字が印され、二番目以下のカードの表面には、「３０」、「４０」とテニス競技のカウントに従って順に数字が印されている、請求項１乃至４の何れかに記載の競技用カウント表示具。
【手続補正２】
【補正対象書類名】明細書
【補正対象項目名】００１０
【補正方法】変更
【補正の内容】
【００１０】
請求項５は、請求項１乃至４の何れかに記載の競技用カウント表示具において、リセット状態のカード束(４)(4a)、(５)(5a)の最外端のカードの裏面には「１」の数字が示され、二番目以下のカードの裏面には、「２」、「３」、「４」と、２から順に１づつ加算した数字が印され、二番目以下のカードの表面には、「１」、「２」、「３」と、１から順に１づつ加算した数字が印されている、
【手続補正３】
【補正対象書類名】図面
【補正対象項目名】全図
【補正方法】変更
【補正の内容】
【図１】
0003157785.tif 000004
【図２】
0003157785.tif 000005
【図３】
0003157785.tif 000006
【図４】
0003157785.tif 000007
【図５】
0003157785.tif 000008
【図６】
0003157785.tif 000009
【図７】
0003157785.tif 000010
【図８】
0003157785.tif 000011